(57)【要約】      （修正有）【課題】目地プレート本体内にコンクリートを充填しても骨材が入り込み、十分な強度が得られるとともに、複数個の補強バーホルダーをスポット溶接で目地プレート本体に固定することにより、中央部が撓んだり、かつ錆付いたりするのを阻止することができる床用目地プレートを提供する。【解決手段】金属材製の四角浅皿形状の目地プレート本体９と、この目地プレート本体９の内底面にスポット溶接で固定され、上部が目地プレート７の中央部に位置するチャンネル状あるいは上部が拡開する台形状の輪郭形状で、複数個の補強バー挿入溝が形成され、複数個の補強バー支持部が形成された複数個の補強バーホルダー１２と、目地プレート本体９の前後方向に位置し、複数個の補強バーホルダー１２と溶接固定された複数個の補強バー１３と、目地プレート本体内に複数個の補強バーホルダー１２および補強バー１３を覆うように充填されたコンクリートにより構成している。【選択図】図２
2015161081.tif 000002
【特許請求の範囲】
【請求項１】
属材製の四角浅皿形状の目地プレート本体と、この目地プレート本体の内底面にスポット溶接で前後方向に所定間隔で固定され、上部が該目地プレート本体内に位置するチャンネル状あるいは上部が拡開する台形状の輪郭形状で、複数個の補強バー挿入溝が形成され、かつ、複数個の補強バー支持部が形成された複数個の補強バーホルダーと、この複数個の補強バーホルダーの複数個の前記補強バー挿入溝に挿入され、前記目地プレート本体の前後方向に位置し、該複数個の補強バーホルダーの複数個の補強バー支持部の上部と溶接固定された複数個の補強バーと、前記目地プレート本体内に前記複数個の補強バーホルダーおよび複数個の補強バーを覆うように充填されたコンクリートとを備えたことを特徴とする床用目地プレート。
【請求項２】
複数個の補強バーホルダーに形成された複数個の補強バー挿入溝の間隔は、コンクリートの骨材が入り込む９０ｍｍ以上に形成されるとともに、該複数個の補強バーホルダーの上部位置が、複数個の補強バーの中央部に位置する高さ寸法であることを特徴とする請求項１記載の床用目地プレート。
【発明の詳細な説明】
【技術分野】
【０００１】
本発明は目地部を介して設けられた左右の床躯体間の目地部を、車両等の走行が可能に覆う床用目地プレートに関する。
【背景技術】
【０００２】
従来、この種の床用目地プレートは金属材製の四角浅皿形状の目地プレート本体と、この目地プレート本体内に平鋼あるいはＩ型バーを２８．３ｍｍ間隔で並列し、上辺を複数個のバー部材で固定された格子状の補強体を挿入あるいは格子状の補強体の所々を前記目地プレート本体の底面とを溶接固定し、該格子状の補強体が埋まるように目地プレート本体内にモルタルを充填して構成されていた。  
【０００３】
しかしながら、目地プレート本体内に格子状の補強体を収納して構成した床用目地プレートは、目地プレート本体内にモルタルを充填すると、その荷重によって目地プレート本体の中央部が下方へ撓み、雨の時に撓んだ所の上面に雨がたまるという不具合があった。
【０００４】
また、格子状の補強体の所々を目地プレート本体の底面に溶接固定すると、十分な補強効果が得られるが、溶接によって目地プレート本体の底面に焼け跡が付き、錆の原因となる欠点があるとともに、平鋼あるいはＩ型バーを２８．３ｍｍ間隔で並列させた格子状の補強体を用いているため、コンクリートの骨材が格子状の補強体内へ入らないため、砂とセメントからなるモルタルしか目地プレート本体内へ充填することができず、十分な補強が得られないという欠点があった。
【先行技術文献】
【特許文献】
【０００５】
【特許文献１】特開２０１１−１５７７２２号公報
【発明の概要】
【発明が解決しようとする課題】
【０００６】
本発明は以上のような従来の欠点に鑑み、目地プレート本体内にコンクリートを充填しても骨材が入り込み、十分な強度が得られるとともに、複数個の補強バーホルダーをスポット溶接で目地プレート本体に固定することにより、複数個の補強バーで中央部が撓んだりすることなく、かつ目地プレート本体が錆付いたりするのを効率よく阻止することができる床用目地プレートを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は金属材製の四角浅皿形状の目地プレート本体と、この目地プレート本体の内底面にスポット溶接で前後方向に所定間隔で固定され、上部が該目地プレート本体内に位置するチャンネル状あるいは上部が拡開する台形状の輪郭形状で、複数個の補強バー挿入溝が形成され、かつ、複数個の補強バー支持部が形成された複数個の補強バーホルダーと、この複数個の補強バーホルダーの複数個の前記補強バー挿入溝に挿入され、前記目地プレート本体の前後方向に位置し、該複数個の補強バーホルダーの複数個の補強バー支持部の上部と溶接固定された複数個の補強バーと、前記目地プレート本体内に前記複数個の補強バーホルダーおよび複数個の補強バーを覆うように充填されたコンクリートとを備えて床用目地プレートを構成している。
【発明の効果】
【０００９】
以上の説明から明らかなように、本発明にあっては次に列挙する効果が得られる。
（１）請求項１により、複数個の補強バーホルダーを目地プレート本体の底面にスポット溶接により固定しているので、目地プレート本体の底面にスポット溶接による焼け跡が付きずらく、錆の原因になりずらく、長期間錆が付かないきれいな状態で使用することができる。    
（２）前記（１）により、目地プレート本体の内底面にスポット溶接により固定した複数個の補強バーホルダーに複数個の補強バーを溶接により固定しているので、複数個の補強バーによって目地プレート本体の中央部が撓んだりするのを確実に阻止して、中央部に雨水がたまったりする不具合を確実に防止することができる。
（３）前記（１）により、複数個の補強バーホルダーの補強バー挿入溝に補強バーを挿入し、該補強バーを補強バーホルダーの補強バー支持部とを溶接により固定するので、複数個の補強バーは目地プレート本体に強固に固定することができる。
したがって、複数個の補強バーの間隔をコンクリートの骨材が挿入できる大きさに設定しても、十分な強度が得られるので、目地プレート本体内にコンクリートを充填して、十分な強度が得られる状態にできる。
（４）請求項２も前記（１）〜（３）と同様な効果が得られるとともに、目地プレート本体内に骨材を含むコンクリートを均一に充填することができ、かつ複数個の補強バーが撓むことなく複数個の補強バーホルダーに溶接固定することができる。
【図面の簡単な説明】
【００１０】
【図１】本発明を実施するための第１の形態の使用状態の平面図。
【図２】図１の２−２線に沿う断面図。
【図３】本発明を実施するための第１の形態の目地プレート本体の説明図。
【図４】本発明を実施するための第１の形態の補強バーホルダーの説明図。
【図５】本発明を実施するための第１の形態の複数個の補強バーホルダーを目地プレート本体に取付けた状態の説明図。
【図６】本発明を実施するための第１の形態の補強バーを取付けた状態の平面図。
【図７】図６の７−７線に沿う拡大断面図。
【図８】本発明を実施するための第１の形態の目地部が狭くなった使用状態の説明図。
【図９】本発明を実施するための第１の形態の目地部が広くなった使用状態の説明図。
【図１０】本発明を実施するための第２の形態の使用状態の平面図。
【図１１】図１０の１１−１１線に沿う断面図。
【図１２】本発明を実施するための第２の形態の補強バーホルダーに補強バーを取付けた状態の正面図。
【図１３】本発明を実施するための第２の形態の補強バーホルダーに補強バーを取付けた状態の側面図。
【図１４】本発明を実施するための第３の形態の使用状態の平面図。
【図１５】図１４の１５−１５線に沿う断面図。
【図１６】本発明を実施するための第３の形態の補強バーホルダーに補強バーを取付けた状態の平面図。
【図１７】本発明を実施するための第３の形態の補強バーホルダーに補強バーを取付けた状態の側面図。
【発明を実施するための形態】
【００１１】
以下、図面に示す本発明を実施するための形態により、本発明を詳細に説明する。
【００１２】
図１ないし図９に示す本発明を実施するための第１の形態において、１は目地部２を介して設けられた左右の床躯体３、３間を車両等の走行ができるように覆う床用目地装置で、この床用目地装置１は前記左右の床躯体３、３の目地部側の一方の床躯体３に形成された、反目地部側が傾斜面４に形成された目地プレートスライド支持凹部５と、この目地プレートスライド支持凹部５と対応する前記左右の床躯体３、３の目地部側の他方の床躯体３に形成された目地プレート支持凹部６と、この目地プレート支持凹部６に後端部が支持され、先端部が前記目地プレートスライド支持凹部５にスライド移動可能に支持された本発明の床用目地プレート７と、この床用目地プレート７の先端部が上方へ回動できるように、後端部を前記目地プレート支持凹部６に支持させる目地プレート支持装置８とで構成されている。
【００１３】
前記床用目地プレート７はステンレス等の金属材製の四角浅皿形状の目地プレート本体９と、この目地プレート本体９の内底面にスポット溶接１０で、前後方向に所定間隔で固定された複数個の補強バー挿入溝１１、１１、１１、１１が形成された複数個の補強バーホルダー１２、１２、１２、１２と、この複数個の補強バーホルダー１２、１２、１２、１２の複数個の補強バー挿入溝１１、１１、１１、１１に挿入され、該複数個の補強バー挿入溝１１、１１、１１、１１の上端部との補強バー支持部１２ａ、１２ａと溶接Ｘ、Ｘ、Ｘ、Ｘで固定された複数個の補強バー１３、１３、１３、１３と、前記目地プレート本体９内に前記複数個の補強バーホルダー１２、１２、１２、１２および複数個の補強バー１３、１３、１３、１３を覆うように充填されたコンクリート１４と、前記目地プレート本体９の先端部の上部にヒンジ部材１５を介して取付けられたカバープレート１６と、前記目地プレート本体９の後部両側部に取付けられた下端部が開口し、該目地プレート本体９の後部両側部に形成した係合ピン挿入孔１７、１７と連通する、前記目地プレート支持装置８の一部を構成する支持ピン挿入筒１８、１８とで構成されている。
【００１４】
前記複数個の補強バーホルダー１２は図４に示すように、前記目地プレート本体９の高さ寸法のほぼ半分以下、例えば４分の１の高さ寸法の上部が拡開する台形状の輪郭形状の金属材製で、コンクリートの骨材が入り込む９０mm以上の間隔となるように両側板１２ａ、１２ａに前記補強バー１３の厚さ寸法とほぼ同じ大きさの複数個の補強バー挿入溝１１、１１、１１、１１が形成されたものが使用されている。
【００１５】
前記複数個の補強バー１３は図６に示すように、前記目地プレート本体９の高さ寸法のほぼ半分の高さ寸法で、前記補強バー挿入溝１１の溝幅とほぼ同じ厚さ寸法の断面長方形状の平鋼が使用されている。
【００１６】
前記目地プレート支持凹部６には前記床用目地プレート７の支持ピン挿入筒１８、１８内へ頭部が挿入される、前記目地プレート支持装置８の一部を構成する支持ピン１９、１９が固定されている。
【００１７】
上記構成の床用目地プレート７は、目地プレート本体９内に位置する複数個の補強バーホルダー１２、１２、１２、１２はスポット溶接１０で目地プレート本体９の底面に固定されているため、目地プレート本体９の底面には溶接による焼け跡が、スポット溶接であるため小さく、錆の発生を効率よく阻止できる。
【００１８】
また、複数個の補強バーホルダー１２、１２、１２、１２の複数個の補強バー挿入溝１１、１１、１１、１１に補強バー１３、１３、１３、１３を挿入し、補強バー支持部１２ａ、１２ａの上部と補強バー１３、１３、１３、１３を溶接Ｘ、Ｘ、Ｘ、Ｘ固定しているので、複数個の補強バーホルダー１２、１２、１２、１２と複数個の補強バー１３、１３、１３、１３とを強固に固定することができるとともに、複数個の補強バーホルダー１２、１２、１２、１２と複数個の補強バー１３、１３、１３、１３の溶接Ｘ、Ｘ、Ｘ、Ｘでの固定の焼け跡が目地プレート本体９の底面に現れることがない。
【００１９】
さらに、目地プレート本体９内に充填されたコンクリート１４の骨材１４ａは複数個の補強バーホルダー１２、１２、１２、１２と複数個の補強バー１３、１３、１３、１３の間にも入り込むため、コンクリート１４で目地プレート本体９の補強も図ることができる。
【００２０】
このように構成された床用目地プレート７は、後端部の支持ピン挿入筒１８、１８内に目地プレート支持凹部６の支持ピン１９、１９が入り込むように床用目地プレート７の後端部を目地プレート支持凹部６に支持させるとともに、先端部を目地プレートスライド支持凹部５に支持するように取付けることにより、前記左右の床躯体３、３の上面と目地プレート７の上面がほぼ同一面となり、車両の走行ができる。
【００２１】
地震で目地部２が狭くなるように左右の床躯体３、３が揺れ動くと、図８に示すように床用目地プレート７の先端部が目地プレートスライド支持凹部５の傾斜面４に沿って押し上げられるが、カバープレート１６の先端部が床躯体３と当接した状態を保つため、傾斜の突出面２０にはなるが、車両等の走行を安全に行なうことができる。
【００２２】
地震で目地部２が広くなるように左右の床躯体３、３が揺れ動くと、図９に示すように床用目地プレート７の先端部が目地プレートスライド支持凹部５上をスライド移動して、その揺れ動きを吸収する。
【００２３】
この時、カバープレート１６の先端部が目地プレートスライド支持凹部５内へ侵入すると凹部２１が生じるが、比較的に小さな凹部２１であるため、車両等の走行が可能である。
【００２４】
なお、前記本発明の実施の形態では目地プレートスライド支持凹部５および目地プレート支持凹部６に床用目地プレート７を設置したものについて説明したが、本発明はこれに限らず、目地プレートスライド支持凹部５を金属材製の目地プレートスライド支持凹部下地材で覆ったり、目地プレート支持凹部６を金属材製の目地プレート支持凹部下地材で覆ってもよい。
【００２５】
[発明を実施するための異なる形態]
次に、図１０ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１０ないし図１３に示す本発明を実施するための第２の形態において、前記本発明を実施するための第１の形態と主に異なる点は、他方の目地部側床躯体３に床用目地プレート７Ａの後端部を支持するアングル材を用いた目地プレート支持部材２２を固定し、該目地プレート支持部材２２に形成された透孔２３、２３と、この透孔２３、２３を貫通して、下端部にストッパー２４、２４が形成された支持ピン１９Ａ、１９Ａを床用目地プレート７Ａの後端両側部の底面に固定した目地プレート支持装置８Ａを用いるとともに、チャンネル状に形成された複数個の補強バーホルダー１２Ａ、１２Ａ、１２Ａ、１２Ａを用いた床用目地プレート７Ａを用いた点で、このような床用目地プレート７Ａを用いて床用目地装置１Ａを構成してもよい。
【００２７】
図１４ないし図１７に示す本発明を実施するための第３の形態において、前記本発明を実施するための第１の形態と主に異なる点は、断面正方形状の複数個の補強バー１３Ａ、１３Ａ、１３Ａ、１３Ａが入り込む複数個の補強バー挿入溝１１Ａ、１１Ａ、１１Ａ、１１Ａが形成された複数個の補強バーホルダー１２Ｂ、１２Ｂ、１２Ｂ、１２Ｂを用いるとともに、目地プレート本体９の上面にレンガやタイル等の床化粧板２５を敷設した床用目地プレート７Ｂにした点で、このように構成した床用目地プレート７Ｂを用いて床用目地装置１Ｂを構成しても、前記本発明を実施するための第１の形態と同様な作用効果が得られる。
【産業上の利用可能性】
【００２８】
本発明は目地部を介して設けられた左右の床躯体間の目地部を、車両の走行が可能に覆う床用目地装置の床用目地プレートを製造する産業で利用される。
【符号の説明】
【００２９】
１、１Ａ、１Ｂ：床用目地装置、２：目地部、
３：床躯体、        ４：傾斜面、
５：目地プレートスライド支持凹部、  
６：目地プレート支持凹部、  
７、７Ａ、７Ｂ：床用目地プレート、
８、８Ａ：目地プレート支持装置、
９：目地プレート本体、    １０：スポット溶接、
１１：補強バー挿入溝、    １２：補強バーホルダー、  
１３、１３Ａ：補強バー、    １４：コンクリート、
１５：ヒンジ部材、      １６：カバープレート、
１７：係合ピン挿入孔、    １８：支持ピン挿入筒、
１９、１９Ａ：支持ピン、    ２０：傾斜の突出面、
２１：凹部、        ２２：目地プレート支持部材、
２３：透孔、        ２４：ストッパー、
２５：床化粧板。
【図１】
2015161081.tif 000003
【図２】
2015161081.tif 000004
【図３】
2015161081.tif 000005
【図４】
2015161081.tif 000006
【図５】
2015161081.tif 000007
【図６】
2015161081.tif 000008
【図７】
2015161081.tif 000009
【図８】
2015161081.tif 000010
【図９】
2015161081.tif 000011
【図１０】
2015161081.tif 000012
【図１１】
2015161081.tif 000013
【図１２】
2015161081.tif 000014
【図１３】
2015161081.tif 000015
【図１４】
2015161081.tif 000016
【図１５】
2015161081.tif 000017
【図１６】
2015161081.tif 000018
【図１７】
2015161081.tif 000019